(57)【要約】【課題】  穀物に混入している磁性体異物の吸着除去性能の向上を図るとともに、吸着した磁性体異物の取り除きの際の作業も容易にできる穀物調製機における磁性体異物除去装置を提供する。【解決手段】  穀物調製機１の穀物投入ホッパ２内に磁性体異物吸着器５を装填して、穀物に混入している鉄片その他の磁性体異物を吸着して除去する装置である。磁性体異物吸着器５は、両端の脚板６、６の間に、複数の環状マグネット７を磁性体円板８を挟んで全体として円柱状に組み付けたものである。磁性体異物吸着器５の複数の環状マグネット７は磁性体円板８を挟んで互いに磁力が反発する向きとする。磁性体円板８は環状マグネット７の外径よりやや外径が大きい鍔状を成している。【選択図】        図１
2008307440.tif 000002
【特許請求の範囲】
【請求項１】
穀物調製機の穀物投入ホッパ内に磁性体異物吸着器を装填して、穀物に混入している鉄片その他の磁性体異物を吸着して除去する装置であって、
磁性体異物吸着器は、両端の脚板の間に、複数の環状マグネットを磁性体円板を挟んで全体として円柱状に組み付けたものであり、
磁性体異物吸着器の複数の環状マグネットは磁性体円板を挟んで互いに磁力が反発する向きとし、磁性体円板は環状マグネットの外径よりやや外径が大きい鍔状を成している
ことを特徴とする穀物調製機における磁性体異物除去装置。
【請求項２】
環状マグネットは、２枚の環状マグネットを互いに磁力が吸引する向きに合わせて成ることを特徴とする請求項１記載の穀物調製機における磁性体異物除去装置。
【発明の詳細な説明】
【技術分野】
【０００１】
本発明は、穀物選別機や石抜機などの穀物投入ホッパ内に装填して、穀物に混入している鉄片その他の磁性体異物（釘、ボルト、ナット、ワッシャ、ヘアピン、針金屑など）を吸着して除去する穀物調製機における磁性体異物除去装置に関するものである。
【背景技術】
【０００２】
穀物選別機や石抜機などの穀物調製機により処理する穀物中には、種々の夾雑物が混入しており、それらの夾雑物としては、釘、ボルト、ナット、ワッシャ、へピン、針金屑などの磁性体異物もかなり含まれているが、磁性体異物の多くはその形態から揺動選別によって選別除去しにくいばかりでなく、磁性体異物が磁気を帯びていると穀物調製機のホッパ壁に吸着して容易に取り除くことができない場合もある。
【０００３】
従来、穀物に混入している磁性体異物をマグネットを用いて除去する装置は、特開平１１−１５６３００号公報および特開２０００−１２３２公報において紹介されている。また、磁性体異物除去に用いるマグネットは、特許第３１５７３８７号公報、特開２００４−１６９５７公報、特開２００３−８０１０７公報、特開２００３−６２４８３公報、特開２００６−３４１２１２公報、特開２００６−２４７４８７公報、特開２００６−１８１３９６公報および実用新案登録第３０６３６３３号公報等に記載されていて既に公知である。
【特許文献１】特開平１１−１５６３００号公報
【特許文献２】特開２００２−１２３２公報
【特許文献３】特許第３１５７３８７号公報
【特許文献４】特開２００４−１６９５７公報
【特許文献５】特開２００３−８０１０７公報
【特許文献６】特開２００３−６２４８３公報
【特許文献７】特開２００６−３４１２１２公報
【特許文献８】特開２００６−２４７４８７公報
【特許文献９】特開２００６−１８１３９６公報
【特許文献１０】実用新案登録第３０６３６３３号公報
【発明の開示】
【発明が解決しようとする課題】
【０００４】
前掲の特許文献３〜１０に記載されているマグネットは、いずれも複数の環状マグネットとその間に磁性体の磁極板を挟んで棒状に構成されたものであるが、環状マグネットと磁極板の外周がチューブで覆われていたり、環状マグネットと磁極板が同じ外径になっていて全体の外周面が滑らかな円柱形状であるから、磁力が最も集中する磁極板の外周部分でも磁性体異物の吸着力が強く作用せず、特許文献１または２に掲載されているように、流動穀物に混入している磁性体異物の吸着除去に用いるものとしては十分な吸着除去性能を期待できないものである。
【０００５】
そこで本発明は、穀物調製機の穀物投入ホッパ内に装填して穀物に混入している鉄片その他の磁性体異物を吸着する磁性体異物吸着器として、複数の環状マグネット間に挟む磁性体円板を環状マグネットの外径よりやや外径が大きい鍔状とすることにより、磁力が最も集中する磁性体円板の外周部分の磁性体異物の吸着力を強くして穀物に混入している磁性体異物の吸着除去性能の向上を図るとともに、吸着した磁性体異物の取り除きの際の作業も容易にできる穀物調製機における磁性体異物除去装置を提供することを目的とするものである。
【課題を解決するための手段】
【０００６】
上記目的を達成するため、本発明の請求項１に係る穀物調製機における磁性体異物除去装置は、穀物調製機の穀物投入ホッパ内に磁性体異物吸着器を装填して、穀物に混入している鉄片その他の磁性体異物を吸着して除去する装置であって、磁性体異物吸着器は、両端の脚板の間に、複数の環状マグネットを磁性体円板を挟んで全体として円柱状に組み付けたものであり、磁性体異物吸着器の複数の環状マグネットは磁性体円板を挟んで互いに磁力が反発する向きとし、磁性体円板は環状マグネットの外径よりやや外径が大きい鍔状を成しているものである。
【０００７】
また、本発明の請求項２に係る穀物調製機における磁性体異物除去装置は、請求項１の構成において、環状マグネットは、２枚の環状マグネットを互いに磁力が吸引する向きに合わせて成るものである。
【発明の効果】
【０００８】
本発明によれば、磁力が最も集中する磁性体円板の外周部分の磁性体異物の吸着力を強くして穀物に混入している磁性体異物の吸着除去性能の向上を図るとともに、吸着した磁性体異物の取り除きの際の作業も容易にできる穀物調製機における磁性体異物除去装置を得ることができる。
【発明を実施するための最良の形態】
【０００９】
図１は本発明の一実施の形態に係る穀物調製機における磁性体異物除去装置の斜視図、図２は磁性体異物吸着器の斜視図、図３は同上正面図、図４は同上一部の側面図、図５は本発明の他の実施の形態に係る穀物調製機における磁性体異物除去装置の斜視図、図６は同上側面図、図７は本発明のさらに他の実施の形態に係る穀物調製機における磁性体異物除去装置の斜視図、図８は同上その使用態様を示す斜視図である。
【００１０】
図１において、１は穀物調製機（石抜機を例示している）、２はその穀物投入ホッパであって、穀物投入ホッパ２は、その底面に網板３を嵌め込んであり、また必要に応じて飛散防止カバー４を装着して用いる。穀物投入ホッパ２内には、磁性体異物吸着器５を装填して穀物調製機における磁性体異物除去装置を構成する。
【００１１】
磁性体異物吸着器５は、図２、図３および図４に詳細を示すように、両端の脚板６、６の間に、複数の環状マグネット７を磁性体円板８を挟んで全体として円柱状に組み付けたものである。この磁性体異物吸着器５の複数の環状マグネット７は磁性体円板８を挟んで互いに磁力が反発する向きとし、磁性体円板８は環状マグネットの外径よりやや外径が大きい鍔状を成しているものである。９は組み付けシャフトであって、両端の脚板６、６にわたって固定されている。
【００１２】
環状マグネット７は、その全体の厚みの半分の厚みの２枚の環状マグネット７ａ、７ｂを互いに磁力が吸引する向きに合わせて１つの環状マグネット７としたものである。複数の環状マグネット７は、前記のように磁性体円板８を挟んで互いに磁力が反発する向きとしてあるので、磁性体円板８の外周部分の磁力が最も強くなる。このため、全体に円柱状を成す磁性体異物吸着器５において、磁性体円板８の環状マグネット７から外周方向に張り出している部分８ａに磁性体異物に対する強い吸着力が現出することになるとともに、吸着した磁性体異物の取り除きも容易にできる。。磁性体円板８の環状マグネット７から外周方向に張り出している部分８ａは、環状マグネット７の外周面から数ミリメートル程度外周方向に張り出している。
【００１３】
図５および図６に示す本発明の他の実施の形態においては、両端の脚板６、６を、複数の環状マグネット７、磁性体円板８からなる円柱状部分に対する張り出し面６ａを大きくしてあり、このように構成することにより、磁気を帯びる磁性体異物吸着器５が穀物調製機の壁面に対して不用意に吸い付くのを防止することができる。
【００１４】
また、図７および図８に示す本発明のさらに他の実施の形態においては、複数の環状マグネット７および磁性体円板８を円柱状に組み付けているシャフトを両端の脚板６、６に対する回転軸１０としている。そして、このように構成することにより、穀物投入ホッパ２に穀物を投入する投入ダクト１１に対する磁性体異物吸着器５の円柱状部分の対向面を転換して、長い時間にわたって磁性体異物ａの吸着状態を良好に保つことができる。
【００１５】
本発明の穀物調製機における磁性体異物除去装置において、穀物投入ホッパ２に穀物を投入する投入ダクト１１に対する磁性体異物吸着器５の円柱状部分をその軸方向とすれば、図４に示すように、穀物の流れに対して磁性体円板８の張り出し部８ａが影を形成するので、磁性体円板８の穀物が当たる部分にはヌカｂが付着しても外周面および影になる面にはヌカｂが付着堆積せず、磁性体異物の吸着力が長時間にわたって減衰することがない。投入ダクト１１に対して磁性体異物吸着器５の円柱状部分を交差する方向にすれば、磁性体異物吸着器５による穀物の流れの妨げを少なくすることができる。
【図面の簡単な説明】
【００１６】
【図１】本発明の一実施の形態に係る穀物調製機における磁性体異物除去装置の斜視図である。
【図２】磁性体異物吸着器の斜視図である。
【図３】同上正面図である。
【図４】同上一部の側面図である。
【図５】本発明の他の実施の形態に係る穀物調製機における磁性体異物除去装置の斜視図である。
【図６】同上側面図である。
【図７】本発明のさらに他の実施の形態に係る穀物調製機における磁性体異物除去装置の斜視図である。
【図８】同上その使用態様を示す斜視図である。
【符号の説明】
【００１７】
１  穀物調製機
２  穀物投入ホッパ
３  網板
４  飛散防止カバー
５  磁性体異物吸着器
６、６  脚板
７  環状マグネット
７ａ，７ｂ  ２枚の環状マグネット
８  磁性体円板
８ａ  外周方向に張り出している部分
９  組み付けシャフト
１０  回転軸
１１  投入ダクト
ａ  磁性体異物
ｂ  ヌカ
【図１】
2008307440.tif 000003
【図２】
2008307440.tif 000004
【図３】
2008307440.tif 000005
【図４】
2008307440.tif 000006
【図５】
2008307440.tif 000007
【図６】
2008307440.tif 000008
【図７】
2008307440.tif 000009
【図８】
2008307440.tif 000010